(57)【要約】【課題】  筒内に燃料を噴射する筒内噴射用インジェクタを備えたエンジンであって、点火プラグ付近に濃い混合気を形成するとともにピストンの応力緩和を実現する。【解決手段】  筒内噴射用インジェクタ１１０からは、上面視で点火プラグを挟む八の字形状で側面視で扇形状の噴霧が噴射される。ピストンの頂面には、この噴霧が当接すると、上面視で扇形に広がった噴霧を点火プラグの方向に向ける底面と、平面視で八の字形に広がった噴霧を点火プラグの方向に向ける最外周の側面とを有するキャビティ１２３Ｃが設けられる。上面視において、このキャビティ１２３Ｃの位置は、ピストン下部に設けられるピストンピンボス部１２３Ｂの位置と、重ならないように配置されている。【選択図】        図７
2006258012.tif 000002
【特許請求の範囲】
【請求項１】
筒内に燃料を噴射するための燃料噴射手段を備えた内燃機関であって、
前記内燃機関は、
シリンダ孔の軸心を鉛直線に一致させた場合のシリンダの側面視で、シリンダヘッドの一側部に形成された吸気通路と、
前記吸気通路の他側部に形成された排気通路と、
前記シリンダ孔を上下動するピストンとを含み、
前記燃料噴射手段は、前記シリンダヘッドの前記一側部の端部側から前記シリンダ孔内に向い斜め下方に向って燃料を噴射可能とするとともに、
前記ピストンの頂面には、前記燃料噴射手段から噴射された燃料により形成された噴霧がピストン頂面と接触する位置が、最外周部となるようなキャビティが設けられ、
前記シリンダの平面視で、前記キャビティの位置と、ピストンピンボスとの位置とがずれている、内燃機関。
【請求項２】
前記シリンダの平面視で、前記キャビティの位置と、ピストンピンボスとの位置とが重複しない、請求項１に記載の内燃機関。
【請求項３】
前記内燃機関は、前記シリンダ孔内に放電部が臨む点火プラグをさらに含む、請求項１または２に記載の内燃機関。
【請求項４】
前記内燃機関は、前記シリンダ孔のほぼ軸心上で前記シリンダ孔内に放電部が臨む点火プラグをさらに含む、請求項１または２に記載の内燃機関。
【請求項５】
前記燃料噴射手段により噴射される燃料が、前記シリンダの平面視で、前記放電部を挟む八の字形状となる、請求項３または４に記載の内燃機関。
【請求項６】
前記燃料噴射手段により噴射される燃料が、前記シリンダの平面視で、前記放電部を挟む八の字形状となり、かつ、前記シリンダの側面視で、前記燃料噴射手段で噴射される燃料の形状が扇形状であって、請求項３または４に記載の内燃機関。
【請求項７】
前記キャビティは、前記シリンダの平面視で、前記最外周部で当接した噴霧が前記放電部に向かう形状を有する、請求項３〜６のいずれかに記載の内燃機関。
【請求項８】
前記キャビティは、前記シリンダの側面視で、前記キャビティの底部で当接した噴霧が前記放電部に向かう形状を有する、請求項３〜７のいずれかに記載の内燃機関。
【請求項９】
前記内燃機関は、吸気通路内に燃料を噴射するための燃料噴射手段をさらに含む、請求項１〜８のいずれかに記載の内燃機関。
【請求項１０】
前記筒内に燃料を噴射するための燃料噴射手段は、筒内噴射用インジェクタであって、
前記吸気通路内に燃料を噴射するための燃料噴射手段は、吸気通路用インジェクタである、請求項９に記載の内燃機関。
【発明の詳細な説明】
【技術分野】
【０００１】
本発明は、車両の内燃機関に関し、特に、少なくとも筒内に向けて燃料を噴射する第１の燃料噴射手段（筒内噴射用インジェクタ）を有し、さらに、吸気通路または吸気ポート内に向けて燃料を噴射する第２の燃料噴射手段（吸気通路噴射用インジェクタ）を備えた内燃機関に関する。
【背景技術】
【０００２】
機関吸気通路内に燃料を噴射するための吸気通路噴射用インジェクタと、機関燃焼室内に燃料を噴射するための筒内噴射用インジェクタとを具備し、機関負荷が予め定められた設定負荷よりも低いときには吸気通路噴射用インジェクタからの燃料噴射を停止するとともに機関負荷が設定負荷よりも高いときには吸気通路噴射用インジェクタから燃料を噴射するようにした内燃機関が公知である。
【０００３】
また、このような内燃機関の筒内噴射用インジェクタに関連する技術として、筒内に噴射された燃料の微粒化により燃焼効率の向上、排ガス浄化を図る筒内噴射式エンジンがある。たとえば、特開２００３−２５４１９９号公報（特許文献１）は、内燃機関の低負荷時など、シリンダ孔内における混合気の全体の平均空燃比が大きくて、混合気が平均して希薄な場合でも、圧縮比を高く設定できるようにして、燃費をより確実に向上させるようにする筒内燃料噴射式内燃機関を開示する。この筒内燃料噴射式内燃機関は、シリンダ孔の軸心を鉛直線に一致させた場合のシリンダの側面視で、シリンダヘッドの一側部に吸気通路を形成する一方、他側部に排気通路を形成し、シリンダヘッドの一側部の端部側からシリンダ孔内に向い斜め下方に向って燃料を噴射可能とする燃料噴射弁を設け、シリンダ孔のほぼ軸心上でシリンダ孔内に放電部が臨む点火プラグを設けた筒内燃料噴射式内燃機関において、燃料噴射弁により噴射される燃料が、シリンダの平面視で、放電部を挟む八の字形状となるようにし、吸気行程で燃料噴射弁に燃料の噴射をさせる。
【０００４】
この筒内燃料噴射式内燃機関によると、燃料噴射弁から噴射される燃料は放電部を挟む八の字形状であり、かつ、内燃機関の吸気行程ではピストンは上死点から下降するのであってその方向と、燃料噴射弁による燃料の噴射の方向とはいずれも下方であって同じ方向である。このため、燃料噴射弁から噴射された燃料は放電部の各外側方を進行し、また、この際、ピストンの上面と勢いよく衝突するということが防止されて、噴射された方向に向って円滑に進行する。そして、噴射された左右各燃料のそれぞれ先端部がシリンダ孔の内周面やピストンの上面に達すると、これら各面に案内されて各燃料のそれぞれ一部分同士がシリンダ孔の周方向で互いに接近させられ、その一方、各燃料のそれぞれ他部分はシリンダ孔の周方向で互いに離反させられる。すると、吸気行程とこれに続く圧縮行程とで、シリンダ孔内に噴射された燃料の多くがこのシリンダ孔の内周面近傍域に集められ、かつ、その周方向ほぼ均一となるよう集められ、つまり、このシリンダ孔内では、シリンダの平面視で、シリンダ孔の軸心をほぼ中心とするドーナツ形状の濃い混合気層と、この濃い混合気層で囲まれて放電部の近傍に位置する薄い混合気層とが成形されることとなる。
【０００５】
また、ピストン頂面を平面としないで、キャビティとよばれる浅い窪みを設ける場合がある。特開平６−２５７５０６号公報（特許文献２）は、燃焼室内において強いスワールを発生させることにより、吸気ポートにタンジェンシャルポートの採用を可能とし、高い流量係数と強いスワールとを同時に成立させることを目的とする、内燃機関のピストンのスワール生成装置を開示する。この内燃機関のピストンのスワール生成装置は、内燃機関のピストンを上下に２分割し、２分割されたピストンの上方部分と下方部分とは、ピストンの軸線に直角な平面と平行な摺動面により相互に円周方向に摺動自在に係合し、ピストン上方部分の下面に円周方向に歯車を配設し、歯車と噛合する歯車をコネクティングロッド小端部の上側外周面に刻設し、ピストンの上下運動に伴い、コネクティングロッド小端部の歯車の運動が歯車を介してピストン上方部分に伝達され、ピストン上方部分に円周方向の往復運動を起こさせるように構成し、かつ、ピストン上方部分の頂部に凹凸または凹または凸の形状を備える。
【０００６】
この内燃機関のピストンのスワール生成装置によると、ピストンの上下運動に伴い、コネクティングロッド小端部のコネクティングロッドギヤの運動がピストンギヤを介してピストン上方部分に伝達され、ピストン上方部分が円周方向の往復運動を行なう。このピストン上方部分の往復運動に伴い、ピストン上方部分の頂部に設けられた凹凸の形状により、燃焼室内において混合気または空気に強いスワールを起こすことができる。
【特許文献１】特開２００３−２５４１９９号公報
【特許文献２】特開平６−２５７５０６号公報
【発明の開示】
【発明が解決しようとする課題】
【０００７】
特許文献１には、噴霧形状および噴霧方向に特徴のある燃料噴射弁を用いて筒内に燃料を噴射する内燃機関が開示されているが、ピストンの頂面（上面）はバルブリセスは設けられているが、燃料噴霧がシリン頂面とは勢いよく衝突するということを防止して、シリンダの平面視で、シリンダ孔の軸心をほぼ中心とするドーナツ形状の濃い混合気層と、この濃い混合気層で囲まれて放電部の近傍に位置する薄い混合気層とが成形している。
【０００８】
しかしながら、特許文献１のような噴霧形状および噴霧方向に特徴のある燃料噴射弁を用いて、失火（ミスファイア）防止や燃焼改善による燃費向上のために、筒内に燃料を点火プラグ周りに集めて、点火プラグ周りの混合気を濃くしたい場合がある。
【０００９】
このような場合に、ピストン頂面に燃料噴霧を誘導するようなキャビティを設ける。特許文献２に開示されたキャビティは、主としてスワール流を形成するためのものであって、特許文献１に開示された燃料噴射弁と特許文献２に開示されたキャビティを有するピストンとを組合わせても、点火プラグ周りに濃い混合気を形成できるものではない。
【００１０】
また、ピストンとコネクティングロッド（コネクティングロッドのスモールエンド）とは、ピストンピンで連結される。ピストンには、このピストンピンを収めるためのピストン・ピン・ボス部が設けられる。ピストンピンやピストン・ピン・ボス部には、強大なガス力とピストンの慣性力とが直接加わる。ピストン・ピン・ボス部には、大きな応力が発生するので、ピストン・ピン・ボス部の位置や形状を工夫して応力集中によるピストンの破損の可能性を回避する必要がある。
【００１１】
本発明は、上述の課題を解決するためになされたものであって、その目的は、筒内に燃料を噴射する燃料噴射手段を備えた内燃機関であって、局所的に濃い混合気を形成するとともにピストンの応力緩和を実現できる、内燃機関を提供することである。
【課題を解決するための手段】
【００１２】
第１の発明に係る内燃機関は、筒内に燃料を噴射するための燃料噴射手段を備えた内燃機関である。この内燃機関は、シリンダ孔の軸心を鉛直線に一致させた場合のシリンダの側面視で、シリンダヘッドの一側部に形成された吸気通路と、吸気通路の他側部に形成された排気通路と、シリンダ孔を上下動するピストンとを含む。燃料噴射手段は、シリンダヘッドの一側部の端部側からシリンダ孔内に向い斜め下方に向って燃料を噴射可能とする。ピストンの頂面には、燃料噴射手段から噴射された燃料により形成された噴霧がピストン頂面と接触する位置が、最外周部となるようなキャビティが設けられる。シリンダの平面視で、キャビティの位置と、ピストンピンボスとの位置とがずれている。
【００１３】
第１の発明によると、たとえば、燃料噴射手段の一例である筒内噴射用インジェクタからの燃料の噴射形状が、シリンダの平面視で点火プラグを含むような八の字形に広がる形状であって、シリンダの側面視で扇形状とした。このようにすることにより、たとえば渦流を発生させるスワールコントロールバルブをなくして高流量化を図っても、筒内噴射用インジェクタから噴射された燃料と吸入空気との混合気の均質性を燃焼変動を発生させない程度にまで高めることができる。さらに、ピストンの頂面には、筒内噴射用インジェクタから噴射された八の字形状における噴霧がピストン頂面と接触する位置が最外周部となるようなキャビティを設けた。このキャビティに当たった噴霧は、最外周部から内側（すなわち、シリンダ孔のほぼ軸心上に位置する放電部）に向かう。この結果、点火プラグの放電部近傍に筒内噴射用インジェクタから噴射された燃料により形成された噴霧を集めることができる。このため、点火プラグ近傍がリッチになり、失火（ミスファイア）防止や燃焼改善による燃費向上させることができる。しかも、このキャビティは、ピストン頂面に窪みを形成するが、このキャビティの位置と、ピストンの下部に設けられるピストン・ピン・ボスとの位置とがずれているので（完全にずれている場合も、一部がずれている場合も含む）、ずれていない場合に比べて十分な強度を実現することができ、応力集中によるピストンの破損の可能性を回避することができる。なお、このような応力集中によるピストンの破損の可能性を回避することができるのであれば、それらの一部どうしが重なり合い一部がずれているのみでも構わない。その結果、筒内に燃料を噴射する燃料噴射手段を備えた内燃機関であって、点火プラグ付近に濃い混合気を形成するとともにピストンの応力緩和を実現できる、内燃機関を提供することができる。
【００１４】
第２の発明に係る内燃機関においては、第１の発明の構成に加えて、シリンダの平面視で、キャビティの位置と、ピストン・ピン・ボスとの位置とが重複しない。
【００１５】
第２の発明によると、ピストン頂面の窪みであるキャビティと、ピストンの下部に設けられるピストン・ピン・ボスとの位置とが重複しない（完全にずれている）ので、十分な強度を実現することができ、応力集中によるピストンの破損の可能性を回避することができる。
【００１６】
第３の発明に係る内燃機関は、第１または２の発明の構成に加えて、シリンダ孔内に放電部が臨む点火プラグをさらに含む。
【００１７】
第３の発明によると、点火プラグを有し、筒内に燃料を噴射する燃料噴射手段を備えた内燃機関において、点火プラグ付近に濃い混合気を形成するとともにピストンの応力緩和を実現できる。
【００１８】
第４の発明に係る内燃機関は、第１または２の発明の構成に加えて、シリンダ孔のほぼ軸心上でシリンダ孔内に放電部が臨む点火プラグをさらに含む。
【００１９】
第４の発明によると、シリンダ孔のほぼ軸心上に点火プラグを有し、筒内に燃料を噴射する燃料噴射手段を備えた内燃機関において、点火プラグ付近に濃い混合気を形成するとともにピストンの応力緩和を実現できる。
【００２０】
第５の発明に係る内燃機関においては、第３または４の発明の構成に加えて、燃料噴射手段により噴射される燃料が、シリンダの平面視で、放電部を挟む八の字形状となるものである。
【００２１】
第５の発明によると、燃料噴射手段から噴射された燃料により形成された噴霧形状が、シリンダの平面視で、放電部を挟む八の字形状となる内燃機関において、点火プラグ付近に濃い混合気を形成するとともにピストンの応力緩和を実現できる。
【００２２】
第６の発明に係る内燃機関においては、第３または４の発明の構成に加えて、燃料噴射手段により噴射される燃料が、シリンダの平面視で、放電部を挟む八の字形状となり、かつ、シリンダの側面視で、燃料噴射手段で噴射される燃料の形状が扇形状であるものである。
【００２３】
第６の発明によると、燃料噴射手段から噴射された燃料により形成された噴霧形状が、シリンダの平面視で、放電部を挟む八の字形状となり、かつ、シリンダの側面視で、燃料噴射手段で噴射される燃料の形状が扇形状である内燃機関において、点火プラグ付近に濃い混合気を形成するとともにピストンの応力緩和を実現できる。
【００２４】
第７の発明に係る内燃機関においては、第３〜６のいずれかの発明の構成に加えて、キャビティは、シリンダの平面視で、最外周部で当接した噴霧が放電部に向かう形状を有する。
【００２５】
第７の発明によると、シリンダの平面視で、キャビティの形状は、最外周部で当接した噴霧が放電部に向かう（中央に向かう）ような形状である。これにより、筒内噴射用インジェクタから噴射された燃料により形成された噴霧（平面視で八の字形）を放電部に向かわせて、放電部近傍にリッチな混合気を形成できる。
【００２６】
第８の発明に係る内燃機関においては、第３〜７のいずれかの発明の構成に加えて、キャビティは、シリンダの側面視で、キャビティの底部で当接した噴霧が放電部に向かう形状を有する。
【００２７】
第８の発明によると、シリンダの側面視で、キャビティの形状は、底部で当接した噴霧が放電部に向かう（上に上がる）ような形状である。これにより、筒内噴射用インジェクタから噴射された燃料により形成された噴霧（側面視で扇形）を放電部に向かわせて、放電部近傍にリッチな混合気を形成できる。
【００２８】
第９の発明に係る内燃機関は、第１〜８のいずれかの発明の構成に加えて、吸気通路内に燃料を噴射するための燃料噴射手段をさらに含む。
【００２９】
第９の発明によると、筒内噴射用インジェクタに加えて、吸気通路内に燃料を吸気通路噴射用インジェクタで噴射して、均質燃焼時の混合気の均質性を向上させることができる。
【００３０】
第１０の発明に係る内燃機関においては、第９の発明の構成に加えて、筒内に燃料を噴射するための燃料噴射手段は、筒内噴射用インジェクタであって、吸気通路内に燃料を噴射するための燃料噴射手段は、吸気通路用インジェクタである。
【００３１】
第１０の発明によると、筒内に燃料を噴射する燃料噴射手段である筒内噴射用インジェクタと吸気通路内に燃料を噴射する吸気通路噴射用インジェクタとを別個に設けて噴射燃料を分担する内燃機関において、点火プラグ付近に濃い混合気を形成するとともにピストンの応力緩和を実現できる。
【発明を実施するための最良の形態】
【００３２】
以下、図面を参照しつつ、本発明の実施の形態について説明する。以下の説明では、同一の部品には同一の符号を付してある。それらの名称および機能も同じである。したがってそれらについての詳細な説明は繰返さない。
【００３３】
図１に、本発明の実施の形態に係る内燃機関の制御装置であるエンジンＥＣＵ（Electronic Control Unit）で制御されるエンジンシステムの概略構成図を示す。なお、図１には、エンジンとして直列４気筒ガソリンエンジンを示すが、本発明はこのような形式のエンジンに限定されるものではなく、Ｖ型６気筒、Ｖ型８気筒、直列６気筒などの形式であってもよい。また、以下においては、筒内噴射用インジェクタと吸気通路噴射用インジェクタとを有するエンジンについて説明するが、少なくとも筒内噴射用インジェクタを有するエンジンであれば、本発明は適用できる。
【００３４】
図１に示すように、エンジン１０は、４つの気筒１１２を備え、各気筒１１２はそれぞれ対応するインテークマニホールド２０を介して共通のサージタンク３０に接続されている。サージタンク３０は、吸気ダクト４０を介してエアクリーナ５０に接続され、吸気ダクト４０内にはエアフローメータ４２が配置されるとともに、電動モータ６０によって駆動されるスロットルバルブ７０が配置されている。このスロットルバルブ７０は、アクセルペダル１００とは独立してエンジンＥＣＵ（Electronic Control Unit）３００の出力
信号に基づいてその開度が制御される。一方、各気筒１１２は共通のエキゾーストマニホールド８０に連結され、このエキゾーストマニホールド８０は三元触媒コンバータ９０に連結されている。
【００３５】
各気筒１１２に対しては、筒内に向けて燃料を噴射するための筒内噴射用インジェクタ１１０と、吸気ポートまたは／および吸気通路内に向けて燃料を噴射するための吸気通路噴射用インジェクタ１２０とがそれぞれ設けられている。これらインジェクタ１１０、１２０はエンジンＥＣＵ３００の出力信号に基づいてそれぞれ制御される。また、各気筒内噴射用インジェクタ１１０は共通の燃料分配管１３０に接続されており、この燃料分配管１３０は燃料分配管１３０に向けて流通可能な逆止弁１４０を介して、機関駆動式の高圧燃料ポンプ１５０に接続されている。なお、本実施の形態においては、２つのインジェクタが別個に設けられた内燃機関について説明するが、本発明はこのような内燃機関に限定されない。たとえば、筒内噴射機能と吸気通路噴射機能とを併せ持つような１個のインジェクタを有する内燃機関であってもよい。
【００３６】
図１に示すように、高圧燃料ポンプ１５０の吐出側は電磁スピル弁１５２を介して高圧燃料ポンプ１５０の吸入側に連結されており、この電磁スピル弁１５２の開度が小さいときほど、高圧燃料ポンプ１５０から燃料分配管１３０内に供給される燃料量が増大され、電磁スピル弁１５２が全開にされると、高圧燃料ポンプ１５０から燃料分配管１３０への燃料供給が停止されるように構成されている。なお、電磁スピル弁１５２はエンジンＥＣＵ３００の出力信号に基づいて制御される。
【００３７】
一方、各吸気通路噴射用インジェクタ１２０は、共通する低圧側の燃料分配管１６０に接続されており、燃料分配管１６０および高圧燃料ポンプ１５０は共通の燃料圧レギュレータ１７０を介して、電動モータ駆動式の低圧燃料ポンプ１８０に接続されている。さらに、低圧燃料ポンプ１８０は燃料フィルタ１９０を介して燃料タンク２００に接続されている。燃料圧レギュレータ１７０は低圧燃料ポンプ１８０から吐出された燃料の燃料圧が予め定められた設定燃料圧よりも高くなると、低圧燃料ポンプ１８０から吐出された燃料の一部を燃料タンク２００に戻すように構成されており、したがって吸気通路噴射用インジェクタ１２０に供給されている燃料圧および高圧燃料ポンプ１５０に供給されている燃料圧が上記設定燃料圧よりも高くなるのを阻止している。
【００３８】
エンジンＥＣＵ３００は、デジタルコンピュータから構成され、双方向性バス３１０を介して相互に接続されたＲＯＭ(Read Only Memory)３２０、ＲＡＭ(Random Access Memory)３３０、ＣＰＵ(Central Processing Unit)３４０、入力ポート３５０および出力ポート３６０を備えている。
【００３９】
エアフローメータ４２は吸入空気量に比例した出力電圧を発生し、このエアフローメータ４２の出力電圧はＡ／Ｄ変換器３７０を介して入力ポート３５０に入力される。エンジン１０には機関冷却水温に比例した出力電圧を発生する水温センサ３８０が取付けられ、この水温センサ３８０の出力電圧は、Ａ／Ｄ変換器３９０を介して入力ポート３５０に入力される。
【００４０】
燃料分配管１３０には燃料分配管１３０内の燃料圧に比例した出力電圧を発生する燃料圧センサ４００が取付けられ、この燃料圧センサ４００の出力電圧は、Ａ／Ｄ変換器４１０を介して入力ポート３５０に入力される。三元触媒コンバータ９０上流のエキゾーストマニホールド８０には、排気ガス中の酸素濃度に比例した出力電圧を発生する空燃比センサ４２０が取付けられ、この空燃比センサ４２０の出力電圧は、Ａ／Ｄ変換器４３０を介して入力ポート３５０に入力される。
【００４１】
本実施の形態に係るエンジンシステムにおける空燃比センサ４２０は、エンジン１０で燃焼された混合気の空燃比に比例した出力電圧を発生する全域空燃比センサ（リニア空燃比センサ）である。なお、空燃比センサ４２０としては、エンジン１０で燃焼された混合気の空燃比が理論空燃比に対してリッチであるかリーンであるかをオン−オフ的に検出するＯ2センサを用いてもよい。
【００４２】
アクセルペダル１００は、アクセルペダル１００の踏込み量に比例した出力電圧を発生するアクセル開度センサ４４０に接続され、アクセル開度センサ４４０の出力電圧は、Ａ／Ｄ変換器４５０を介して入力ポート３５０に入力される。また、入力ポート３５０には、機関回転数を表わす出力パルスを発生する回転数センサ４６０が接続されている。エンジンＥＣＵ３００のＲＯＭ３２０には、上述のアクセル開度センサ４４０および回転数センサ４６０により得られる機関負荷率および機関回転数に基づき、運転状態に対応させて設定されている燃料噴射量の値や機関冷却水温に基づく補正値などが予めマップ化されて記憶されている。
【００４３】
図２に、図１の部分拡大図を示す。図２は、図１の各気筒１１２における筒内噴射用インジェクタ１１０および吸気通路噴射用インジェクタ１２０の位置関係、ならびにインテークマニホールド２０、吸気バルブ１２２、排気バルブ１２１、点火プラグ１１９およびピストン１２３の位置関係を説明する図である。
【００４４】
インテークマニホールド２０の燃焼室側には吸気バルブ１２２が設けられており、その吸気バルブ１２２の上流側に吸気通路噴射用インジェクタ１２０が配置されている。吸気通路噴射用インジェクタ１２０は、吸気通路であるインテークマニホールド２０の内壁にに向けて燃料を噴射する。
【００４５】
この吸気通路噴射用インジェクタ１２０の燃料噴射方向については、一例として、以下のようにすることが考えられる。
【００４６】
このインテークマニホールド２０の内壁には、吸気バルブ１２２と、排気バルブ１２１とのオーバーラップにより燃焼室内のＰＭ(Particulate Matter)がインテークマニホールド２０に逆流し、吸気通路噴射用インジェクタ１２０により噴射された燃料が噴霧され微細化された燃料が接着剤として働き、インテークマニホールド２０の吸気バルブ１２２の近い側の内壁にデポジットとして堆積することがある。吸気通路噴射用インジェクタ１２０の燃料噴射方向は、このデポジットに向けられた方向になるように設けられている。これにより、吸気通路噴射用インジェクタ１２０から噴射された燃料により、このデポジットを洗い流すことができる。
【００４７】
また、このインテークマニホールド２０には、スワールコントロールバルブなどであって、燃焼室内に渦流を形成するものが設けられない。このスワールコントロールバルブなどが設けられると、流量係数を低下せしめることになり、ＷＯＴ時に必要十分な空気を燃焼室に流入させることができない。ところが、本実施の形態における内燃機関においては、流量係数を高くするようにして、高流量ポートを実現した。なお、高流量を実現できるのであれば、タンジェンシャル型（tangential type）の吸気ポートであってもよい。こ
のタンジェンシャル型ポートは、吸気バルブ１２２の周辺で渦巻状となって左右に振れた形状とはならず、真っ直ぐに伸びて上下に大きく円弧を画いた先端部を有する。したがって吸気ポート内での流れに対する抵抗が小さく、吸気ポートの流量係数はスワールポートに比しはるかに大きくなり、エンジン１０の体積効率が高くなり、多量の空気が燃焼室内に吸入することができるものである。このときの吸気ポートの流量係数Ｃｆは０．５〜０．７以上が好ましい。
【００４８】
図２に示すように、ピストン１２３の頂部には、筒内噴射用インジェクタ１１０に対向する位置に緩やかな曲線から形成されるくぼみであるキャビティ１２３Ｃが設けられている。このキャビティ１２３Ｃに向けて筒内噴射用インジェクタ１１０から燃料が噴射される。このとき、筒内噴射用インジェクタ１１０に対向するピストン１２３の頂部は角部を有しないので、筒内噴射用インジェクタ１１０から噴射された燃料により形成された噴霧が角部により分裂されることがない。このような分裂があると燃焼に悪影響を与えるローカルリッチ（ここでいうローカルリッチとは、点火プラグ１１９近傍以外でリッチな混合気が形成されることを意味する）の状態になる場合があり得るが、そのような状態になることを回避できる。なお、筒内噴射用インジェクタ１１０の燃料噴霧の形状の詳細については後述する。また、筒内噴射用インジェクタ１１０から噴射された燃料により形成された燃料噴霧がキャビティ１２３Ｃにより変化する形態についての詳細は後述する。また、図２に示すように配置された筒内噴射用インジェクタ１１０と吸気通路噴射用インジェクタ１２０との燃料分担比率の詳細については、後述する。
【００４９】
図２に示すように、ピストン１２３においては、ピストン１２３とコネクティングロッド（図示しない）とは、ピストンピン１２３Ａで連結される。ピストン１２３には、このピストンピン１２３Ａを収めるためのピストン・ピン・ボス部１２３Ｂが設けられる。ピストンピン１２３Ａやピストン・ピン・ボス部１２３Ｂには、強大なガス力とピストン１２３の慣性力とが直接加わる。ピストン・ピン・ボス部１２３Ｂには、大きな応力が発生するので、ピストン・ピン・ボス部１２３Ｂの位置や形状を工夫して、応力集中によるピストン１２３の破損の可能性を回避している。特に、本実施の形態に係るエンジン１０においては、ピストン・ピン・ボス部１２３Ｂの位置とキャビティ１２３Ｃの位置とをずらしている。このようにピストン・ピン・ボス部１２３Ｂの位置とキャビティ１２３Ｃの位置をずらさないと、構造的に応力集中を招く要因となる。このため、本実施の形態に係るエンジン１０のピストン１２３においては、このようにピストン・ピン・ボス部１２３Ｂの位置とキャビティ１２３Ｃの位置とが重なり合わないようにして応力集中によるピストン１２３の破損の可能性を回避している。なお、応力集中によるピストン１２３の破損の可能性を回避することができるのであれば、ピストン・ピン・ボス部１２３Ｂの位置とキャビティ１２３Ｃの位置との一部を重ねるようにしてもよい。
【００５０】
図３を参照して、筒内噴射用インジェクタ１１０について説明する。図３は、筒内噴射用インジェクタ１１０の縦方向の断面図である。
【００５１】
図３に示すように、筒内噴射用インジェクタ１１０は、その本体７４０の下端にノズルボディ７６０がスペーサを介してノズルホルダによって固定される。ノズルボディ７６０は、その下端に噴口５００Ａおよび噴口５００Ｂを形成しており、ノズルボディ７６０内にニードル５２０が上下可動に配置される。ニードル５２０の上端は本体７４０内を摺動自在なコア５４０に当接しており、スプリング５６０はコア５４０を介してニードル５２０を下向きに付勢しており、ニードル５２０はノズルボディ７６０の内周シート面５２２に着座され、その結果、常態では噴口５００Ａおよび噴口５００Ｂを閉鎖している。
【００５２】
本体７４０の上端にはスリーブ５７０が挿入固定され、スリーブ５７０内には燃料通路５８０が形成され、燃料通路５８０の下端側は、本体７４０内の通路を介してノズルボディ７６０の内部まで連通され、ニードル５２０のリフト時に燃料は噴口５００Ａおよび噴口５００Ｂから噴射される。燃料通路５８０の上端側は、フィルタ６００を介して燃料導入口６２０に接続され、この燃料導入口６２０は、図１の燃料分配管１３０に接続される。
【００５３】
電磁ソレノイド６４０は、本体７４０内においてスリーブ５７０の下端部を包囲するように配置される。ソレノイド６４０の通電時においては、コア５４０はスプリング５６０に抗して上昇され、燃料圧はニードル５２０を押し上げ、噴口５００Ａおよび噴口５０００Ｂが開放されるので燃料噴射が実行される。ソレノイド６４０は絶縁ハウジング６５０内のワイヤ６６０に取り出され、開弁のための電気信号を、エンジンＥＣＵ３００から受信することができる。この開弁のための電気信号をエンジンＥＣＵ３００が出力しないと、筒内噴射用インジェクタ１１０からの燃料噴射が行なわれない。
【００５４】
エンジンＥＣＵ３００から受信した開弁のための電気信号により、筒内噴射用インジェクタ１１０の燃料噴射時期および燃料噴射期間が制御される。この燃料噴射期間を制御することにより、筒内噴射用インジェクタ１１０からの燃料噴射量を調節できる。すなわち、この電気信号により（最小燃料噴射量以上の領域において）、少量の燃料を噴射するように制御することもできる。なお、このような制御のために、エンジンＥＣＵ３００と筒内噴射用インジェクタ１１０との間に、ＥＤＵ（Electronic Driver Unit）が設けられることもある。なお、このような構造を有する筒内噴射用インジェクタ１１０に供給される燃料の圧力は非常に高圧（１３ＭＰａ程度）である。
【００５５】
図４に、噴口５００Ａおよび噴口５００Ｂを、筒内噴射用インジェクタ１１０の内部から見た状態を示す。図４に示すように、縦長のスリット形状の噴口が平行に形成されている（縦Ｗスリット）。このような噴口５００Ａおよび噴口５００Ｂにより噴射された燃料は、図５に示すように、上面から見て八の字形に広がる。この八の字形に開いた部分に点火プラグ１１９が設けられている。また、噴口５００Ａおよび噴口５００Ｂにより噴射された燃料は、図５に示すように、側面から見て上下の両方向に広がった扇形の形状に広がる。
【００５６】
上面から見た場合においては、八の字形に開いた間に点火プラグ１１９が設けられるので、噴霧が点火プラグ１１９に当たって霧化が促進されないことを回避できる。また、側面から見た場合においては、上下の両方向に広がった扇形の形状となっているが、ピストン１２３の頂部に緩やかな曲線から形成されたキャビティ１２３Ｃを有する。平面状のピストン頂部であると筒内噴射用インジェクタ１１０から噴射された燃料が平面状に付着して霧化を阻害するが、このキャビティ１２３Ｃによりこのような霧化が阻害されることもない。このキャビティ１２３Ｃについては、さらに詳しく後述する。
【００５７】
なお、噴霧形状については、
１）上面視（平面視）で、点火プラグ１１９を挟む扇形状であって、かつ、側面視で扇形状であってもよいし、
２）上面視で、点火プラグ１１９を挟む扇形状であって、かつ、側面視で上部のみの扇の形状であってもよいし、
３）上面視で、点火プラグ１１９を挟む扇形状であって、かつ、側面視で下部のみの扇の形状であってもよいし、
４）側面視で、点火プラグ１１９を挟む扇形状であってもよい。
【００５８】
さらに、このような噴霧形状を実現するための噴口は、図４に示す縦Ｗスリット形状に限定されない。縦Ｓ（シングル）スリットであってもよいし、Ｔ字のスリットであってもよいし、十字のスリットであってもよい。
【００５９】
本実施の形態に係るエンジン１０においては、筒内噴射用インジェクタ１１０から吸気行程で燃料を気筒内に噴射して、圧縮行程末期の点火時期までに気筒内に均質混合気を形成する均質燃焼を実行する。十分に均質化された良好な均質混合気を形成するためには、気筒内に広く噴射燃料を分散させることが望ましい。そのために、本実施の形態に係るエンジン１０においては、筒内噴射用インジェクタ１１０は、上述したように、側面から見て上下の両方向に広がった扇形の形状であって、上面から見て八の字形の燃料噴霧を形成する。
【００６０】
このような形状の噴霧は、円錐形状の燃料噴霧に比較して貫徹力が大きくなり、それにより、飛散中において気筒内の吸気との摩擦によって微粒化されるために容易に気化する。こうして側面から見て扇形状に広がる燃料噴霧を使用することにより、気化され易い燃焼噴霧を気筒内の全体に分散させることができ、十分に均質化された均質混合気が形成されて良好な均質燃焼を実現することができる。
【００６１】
ところで、エンジン１０の始動時においては、排気系に設けられた三元触媒コンバータ９０を早期に暖機して触媒を活性化させて、三元触媒コンバータ９０により排気ガスの浄化を開始しなければならない。そのための１つの方策として点火時期を膨張行程の中期以降等に大幅に遅角して、排気ガス温度を非常に高めることが望ましい。
【００６２】
しかしながら、均質混合気では、このように点火時期を大幅に遅角すると、失火が発生する可能性がある。そのため、たとえば、本実施の形態に係るエンジン１０においては、エンジン１０の始動開始または始動直後から三元触媒コンバータ９０の暖機完了までの間は、成層燃焼を行なうようにしている。成層燃焼は圧縮行程後半で燃料を噴射して、燃料を点火プラグ１１９近傍に集中させて可燃混合気を形成するものであり、この可燃混合気は点火時期を大幅に遅角しても確実に着火燃焼させることができる。
【００６３】
この成層燃焼に際して、燃料噴射から点火までの時間が比較的短いために、噴射燃料を点火までに確実に気化させるためには、ピストン１２３の頂面に形成されたキャビティ１２３Ｃ内に燃料を噴射して、噴霧中の気化に加えて、キャビティ１２３Ｃから受熱するようにすることが好ましい。本実施の形態においては、ピストン１２３の頂面には、そのためのキャビティ１２３Ｃが設けられている。一般的な、筒内噴射式火花点火式エンジンにおいて、キャビティはピストン頂面のインジェクタ側に偏在するように形成されるが、本実施の形態においては、気筒内において、筒内噴射用インジェクタ１１０から扇形状の燃料噴霧が形成される場合には、多くの燃料がキャビティ外に噴射されてしまう。
【００６４】
キャビティ外に噴射された燃料は、キャビティによって点火プラグ１１９近傍へ導かれることがないために、燃焼せず未燃燃料として排出され、排気エミッションを悪化させる。また、その分多量に燃料を噴射しなければならないので、成層燃焼時の燃費を悪化させる要因となる。本実施の形態に係るエンジン１０においては、筒内噴射用インジェクタ１１０から噴射された扇形の燃料噴霧のほぼ全てがキャビティ１２３Ｃ内に収まり、かつキャビティ１２３Ｃから点火プラグ１１９近傍へ導かれるように形成されている。さらに、このキャビティ１２３Ｃの位置とピストン・ピン・ボス部１２３Ｂの位置とが重複しないように形成されている。
【００６５】
図６および図７を参照して、このキャビティ１２３Ｃの詳細を説明する。図６に側面から見た図を、図７に上面から見た図を、それぞれ示す。
【００６６】
図６に示すように、ピストン１２３をその側面側から見ると、キャビティ１２３Ｃの底面は、筒内噴射用インジェクタ１１０から噴射された燃料噴霧が当たって、その方向をシリンダ孔の軸心（点火プラグ１１９）側に向かうようになだらかな曲面を有する。さらに、図７に示すように、ピストン１２３をその上面側から見ると、キャビティ１２３Ｃの最外周は、筒内噴射用インジェクタ１１０から噴射された八の字形の燃料噴霧が当たって、その方向がシリンダ孔の軸心（点火プラグ１１９）側に向かうようになだらかな曲面を有する。また、図７に示すように、キャビティ１２３Ｃの位置とピストン・ピン・ボス部１２３Ｂの位置とが重複していない。
【００６７】
図６および図７に示すように、筒内噴射用インジェクタ１１０から噴射された燃料により形成される燃料噴霧がピストン１２３の頂面に当接する位置においては、角部を有さないキャビティ１２３Ｃが形成されている。そして、その形状は角部を有さないことに加えて、側面側も上面側も、キャビティ１２３Ｃから点火プラグ１１９近傍に燃料噴霧が向かうように設計されている。この燃料噴霧は、圧縮上死点において、点火プラグ１１９近傍に位置して、その後の膨張行程においても点火プラグ１１９近傍からそれほど分散することはない。こうすることにより、点火時期を大幅に遅角しても噴霧燃料を確実に着かさせることができる。
【００６８】
なお、三元触媒コンバータ９０の早期暖機することを目的として、大幅に点火時期を遅角させるために成層燃焼を行なうべく、このようなキャビティ１２３Ｃが設けられることに限定されるものではない。点火プラグ１２３Ｃ近傍に濃い混合気を集めて、その周りに薄い混合気を形成して弱成層燃焼を行なう場合にも、このような形状を有するキャビティ１２３Ｃにより燃料噴霧を点火プラグ１１９近傍に集めて、理想的な混合気を形成できる。また、均質燃焼を行なう場合には、このようなキャビティ１２３Ｃにより、点火プラグ１１９近傍以外でリッチな混合気が形成されるローカルリッチになることを回避できる。
【００６９】
このようなキャビティ１２３Ｃの形状については上述したとおりであるが、構造的な制限から、位置について図７に示すように、キャビティ１２３Ｃの位置とピストン・ピン・ボス部１２３Ｂの位置とが重複しないように設定されている。図７に示す例は、キャビティ１２３Ｃの位置とピストン・ピン・ボス部１２３Ｂの位置とが完全に重複しない場合を示している。少なくとも応力集中等の構造上の問題が発生しない程度に重複していなければ構わない。したがって、キャビティ１２３Ｃの位置とピストン・ピン・ボス部１２３Ｂの位置との一部が重複しているものであっても構造上の問題が発生しなければ構わない。
【００７０】
ピストン・ピン・ボス部１２３Ｂは、ピストン１２３とコネクティングロッド（図示せず）とは、ピストンピン１２３Ａで連結されるが、このピストンピン１２３Ａを収めるためにピストン下部に形成されるものである。ピストンピン１２３Ａやピストン・ピン・ボス部１２３Ｂには、強大なガス力とピストン１２３の慣性力とが直接加わり、ピストン・ピン・ボス部１２３Ｂには、大きな応力が発生する。このため、ピストン・ピン・ボス部１２３Ｂは、その強固な強度が求められるとともに、ピストン１２３に形成される他の形成物との関係において、応力集中によるピストン１２３の破損の可能性を回避する必要がある。
【００７１】
この応力集中を回避するために、本実施の形態においては、たとえば、肉厚を確保すべく、ピストン・ピン・ボス部１２３Ｂの位置を避けてキャビティ１２３Ｃを設けている。これは、ピストン・ピン・ボス部１２３Ｂの位置がキャビティ１２３Ｃの位置に来ると、キャビティ１２３Ｃとピストン・ピン・ボス部１２３Ｂとの間の肉厚が薄くなり応力集中を発生する可能性があるので、これを避けるようにしている。
【００７２】
以上のようにして、本実施の形態に係るエンジン１０によると、ピストン頂面に曲面で形成される浅い窪みであるキャビティをピストン・ピン・ボス部の位置とずらして形成した。このキャビティは、筒内噴射用インジェクタから噴射された燃料により形成される燃料噴霧であって、ピストンの側面視で略扇形状であって、その平面視で略八の字形状の燃料噴霧を、点火プラグ近傍に集めることができ、失火の可能性を回避することができる。その結果、筒内に燃料を噴射する筒内噴射用インジェクタを備えたエンジンであって、点火プラグ付近に濃い混合気を形成するとともにピストンの応力緩和を実現できる。
【００７３】
＜この制御装置が適用されるに適したエンジン（その１）＞
以下、本実施の形態に係る制御装置が適用されるに適したエンジン（その１）について説明する。
【００７４】
図８および図９を参照して、エンジン１０の運転状態に対応させた情報である、筒内噴射用インジェクタ１１０と吸気通路噴射用インジェクタ１２０との噴き分け比率（以下、ＤＩ比率（r）とも記載する。）を表わすマップについて説明する。これらのマップは、エンジンＥＣＵ３００のＲＯＭ３２０に記憶される。図８は、エンジン１０の温間用マップであって、図９は、エンジン１０の冷間用マップである。
【００７５】
図８および図９に示すように、これらのマップは、エンジン１０の回転数を横軸にして、負荷率を縦軸にして、筒内噴射用インジェクタ１１０の分担比率がＤＩ比率ｒとして百分率で示されている。
【００７６】
図８および図９に示すように、エンジン１０の回転数と負荷率とに定まる運転領域ごとに、ＤＩ比率ｒが設定されている。「ＤＩ比率ｒ＝１００％」とは、筒内噴射用インジェクタ１１０からのみ燃料噴射が行なわれる領域であることを意味し、「ＤＩ比率ｒ＝０％」とは、吸気通路噴射用インジェクタ１２０からのみ燃料噴射が行なわれる領域であることを意味する。「ＤＩ比率ｒ≠０％」、「ＤＩ比率ｒ≠１００％」および「０％＜ＤＩ比率ｒ＜１００％」とは、筒内噴射用インジェクタ１１０と吸気通路噴射用インジェクタ１２０とで燃料噴射が分担して行なわれる領域であることを意味する。なお、概略的には、筒内噴射用インジェクタ１１０は、出力性能の上昇に寄与し、吸気通路噴射用インジェクタ１２０は、混合気の均一性に寄与する。このような特性の異なる２種類のインジェクタを、エンジン１０の回転数と負荷率とで使い分けることにより、エンジン１０が通常運転状態（たとえば、アイドル時の触媒暖気時が、通常運転状態以外の非通常運転状態の一例であるといえる）である場合には、均質燃焼のみが行なわれるようにしている。
【００７７】
さらに、これらの図８および図９に示すように、温間時のマップと冷間時のマップとに分けて、筒内噴射用インジェクタ１１０と吸気通路噴射用インジェクタ１２０のＤＩ分担率ｒを規定した。エンジン１０の温度が異なると、筒内噴射用インジェクタ１１０および吸気通路噴射用インジェクタ１２０の制御領域が異なるように設定されたマップを用いて、エンジン１０の温度を検知して、エンジン１０の温度が予め定められた温度しきい値以上であると図８の温間時のマップを選択して、そうではないと図９に示す冷間時のマップを選択する。それぞれ選択されたマップに基づいて、エンジン１０の回転数と負荷率とに基づいて、筒内噴射用インジェクタ１１０および／または吸気通路噴射用インジェクタ１２０を制御する。
【００７８】
図８および図９に設定されるエンジン１０の回転数と負荷率について説明する。図８のＮＥ（１）は２５００〜２７００ｒｐｍに設定され、ＫＬ（１）は３０〜５０％、ＫＬ（２）は６０〜９０％に設定されている。また、図９のＮＥ（３）は２９００〜３１００ｒｐｍに設定されている。すなわち、ＮＥ（１）＜ＮＥ（３）である。その他、図８のＮＥ（２）や、図９のＫＬ（３）、ＫＬ（４）も適宜設定されている。
【００７９】
図８および図９を比較すると、図８に示す温間用マップのＮＥ（１）よりも図９に示す冷間用マップのＮＥ（３）の方が高い。これは、エンジン１０の温度が低いほど、吸気通路噴射用インジェクタ１２０の制御領域が高いエンジン回転数の領域まで拡大されるということを示す。すなわち、エンジン１０が冷えている状態であるので、（たとえ、筒内噴射用インジェクタ１１０から燃料を噴射しなくても）筒内噴射用インジェクタ１１０の噴口にデポジットが堆積しにくい。このため、吸気通路噴射用インジェクタ１２０を使って燃料を噴射する領域を拡大するように設定され、均質性を向上させることができる。
【００８０】
図８および図９を比較すると、エンジン１０の回転数が、温間用マップにおいてはＮＥ（１）以上の領域において、冷間用マップにおいてはＮＥ（３）以上の領域において、「ＤＩ比率ｒ＝１００％」である。また、負荷率が、温間用マップにおいてはＫＬ（２）以上の領域において、冷間用マップにおいてはＫＬ（４）以上の領域において、「ＤＩ比率ｒ＝１００％」である。これは、予め定められた高エンジン回転数領域では筒内噴射用インジェクタ１１０のみが使用されること、予め定められた高エンジン負荷領域では筒内噴射用インジェクタ１１０のみが使用されるということを示す。すなわち、高回転領域や高負荷領域においては、筒内噴射用インジェクタ１１０のみで燃料を噴射しても、エンジン１０の回転数や負荷が高く吸気量が多いので筒内噴射用インジェクタ１１０のみでも混合気を均質化しやすいためである。このようにすると、筒内噴射用インジェクタ１１０から噴射された燃料は燃焼室内で気化潜熱を伴い（燃焼室から熱を奪い）気化される。これにより、圧縮端での混合気の温度が下がる。これにより対ノッキング性能が向上する。また、燃焼室の温度が下がるので、吸入効率が向上し高出力が見込める。
【００８１】
図８に示す温間マップでは、負荷率ＫＬ（１）以下では、筒内噴射用インジェクタ１１０のみが用いられる。これは、エンジン１０の温度が高いときであって、予め定められた低負荷領域では筒内噴射用インジェクタ１１０のみが使用されるということを示す。これは、温間時においてはエンジン１０が暖まった状態であるので、筒内噴射用インジェクタ１１０の噴口にデポジットが堆積しやすい。しかしながら、筒内噴射用インジェクタ１１０を使って燃料を噴射することにより噴口温度を低下させることができるので、デポジットの堆積を回避することも考えられ、また、筒内噴射用インジェクタの最小燃料噴射量を確保して、筒内噴射用インジェクタ１１０を閉塞させないことも考えられ、このために、筒内噴射用インジェクタ１１０を用いた領域としている。
【００８２】
図８および図９を比較すると、図９の冷間用マップにのみ「ＤＩ比率ｒ＝０％」の領域が存在する。これは、エンジン１０の温度が低いときであって、予め定められた低負荷領域（ＫＬ（３）以下）では吸気通路噴射用インジェクタ１２０のみが使用されるということを示す。これはエンジン１０が冷えていてエンジン１０の負荷が低く吸気量も低いため燃料が霧化しにくい。このような領域においては筒内噴射用インジェクタ１１０による燃料噴射では良好な燃焼が困難であるため、また、特に低負荷および低回転数の領域では筒内噴射用インジェクタ１１０を用いた高出力を必要としないため、筒内噴射用インジェクタ１１０を用いないで、吸気通路噴射用インジェクタ１２０のみを用いる。
【００８３】
また、通常運転時以外の場合、エンジン１０がアイドル時の触媒暖気時の場合（非通常運転状態であるとき）、成層燃焼を行なうように筒内噴射用インジェクタ１１０が制御される。このような触媒暖気運転中にのみ成層燃焼させることで、触媒暖気を促進させ、排気エミッションの向上を図る。
【００８４】
＜この制御装置が適用されるに適したエンジン（その２）＞
以下、本実施の形態に係る制御装置が適用されるに適したエンジン（その２）について説明する。なお、以下のエンジン（その２）の説明において、エンジン（その１）と同じ説明については、ここでは繰り返さない。
【００８５】
図１０および図１１を参照して、エンジン１０の運転状態に対応させた情報である、筒内噴射用インジェクタ１１０と吸気通路噴射用インジェクタ１２０との噴き分け比率を表わすマップについて説明する。これらのマップは、エンジンＥＣＵ３００のＲＯＭ３２０に記憶される。図１０は、エンジン１０の温間用マップであって、図１１は、エンジン１０の冷間用マップである。
【００８６】
図１０および図１１を比較すると、以下の点で図８および図９と異なる。エンジン１０の回転数が、温間用マップにおいてはＮＥ（１）以上の領域において、冷間用マップにおいてはＮＥ（３）以上の領域において、「ＤＩ比率ｒ＝１００％」である。また、負荷率が、温間用マップにおいては低回転数領域を除くＫＬ（２）以上の領域において、冷間用マップにおいては低回転数領域を除くＫＬ（４）以上の領域において、「ＤＩ比率ｒ＝１００％」である。これは、予め定められた高エンジン回転数領域では筒内噴射用インジェクタ１１０のみが使用されること、予め定められた高エンジン負荷領域では筒内噴射用インジェクタ１１０のみが使用される領域が多いことを示す。しかしながら、低回転数領域の高負荷領域においては、筒内噴射用インジェクタ１１０から噴射された燃料により形成される混合気のミキシングが良好ではなく、燃焼室内の混合気が不均質で燃焼が不安定になる傾向を有する。このため、このような問題が発生しない高回転数領域へ移行するに伴い筒内噴射用インジェクタの噴射比率を増大させるようにしている。また、このような問題が発生する高負荷領域へ移行するに伴い筒内噴射用インジェクタ１１０の噴射比率を減少させるようにしている。これらのＤＩ比率ｒの変化を図１０および図１１に十字の矢印で示す。このようにすると、燃焼が不安定であることに起因するエンジンの出力トルクの変動を抑制することができる。なお、これらのことは、予め定められた低回転数領域へ移行するに伴い筒内噴射用インジェクタ１１０の噴射比率を減少させることや、予め定められた低負荷領域へ移行するに伴い筒内噴射用インジェクタ１１０の噴射比率を増大させることと、略等価であることを確認的に記載する。また、このような領域（図１０および図１１で十字の矢印が記載された領域）以外の領域であって筒内噴射用インジェクタ１１０のみで燃料を噴射している領域（高回転側、低負荷側）においては、筒内噴射用インジェクタ１１０のみでも混合気を均質化しやすい。このようにすると、筒内噴射用インジェクタ１１０から噴射された燃料は燃焼室内で気化潜熱を伴い（燃焼室から熱を奪い）気化される。これにより、圧縮端での混合気の温度が下がる。これにより対ノッキング性能が向上する。また、燃焼室の温度が下がるので、吸入効率が向上し高出力が見込める。
【００８７】
なお、図８〜図１１を用いて説明したこのエンジン１０においては、均質燃焼は筒内噴射用インジェクタ１１０の燃料噴射タイミングを吸気行程とすることにより、成層燃焼は筒内噴射用インジェクタ１１０の燃料噴射タイミングを圧縮行程とすることにより実現できる。すなわち、筒内噴射用インジェクタ１１０の燃料噴射タイミングを圧縮行程とすることで、点火プラグ周りにリッチ混合気が偏在させることにより燃焼室全体としてはリーンな混合気に着火する成層燃焼を実現することができる。また、筒内噴射用インジェクタ１１０の燃料噴射タイミングを吸気行程としても点火プラグ周りにリッチ混合気を偏在させることができれば、吸気行程噴射であっても成層燃焼を実現できる。
【００８８】
また、ここでいう成層燃焼には、成層燃焼と以下に示す弱成層燃焼の双方を含むものである。弱成層燃焼とは、吸気通路噴射用インジェクタ１２０を吸気行程で燃料噴射して燃焼室全体にリーンで均質な混合気を生成して、さらに筒内噴射用インジェクタ１１０を圧縮行程で燃料噴射して点火プラグ周りにリッチな混合気を生成して、燃焼状態の向上を図るものである。このような弱成層燃焼は触媒暖気時に好ましい。これは、以下の理由による。すなわち、触媒暖気時には高温の燃焼ガスを触媒に到達させるために点火時期を大幅に遅角させ、かつ良好な燃焼状態（アイドル状態）を維持する必要がある。また、ある程度の燃料量を供給する必要がある。これを成層燃焼で行なおうとしても燃料量が少ないという問題があり、これを均質燃焼で行なおうとしても良好な燃焼を維持するために遅角量が成層燃焼に比べて小さいという問題がある。このような観点から、上述した弱成層燃焼を触媒暖気時に用いることが好ましいが、成層燃焼および弱成層燃焼のいずれであっても構わない。
【００８９】
また、図８〜図１１を用いて説明したエンジンにおいては、筒内噴射用インジェクタ１１０による燃料噴射のタイミングは、以下のような理由により、圧縮行程で行なうことが好ましい。ただし、上述したエンジン１０は、基本的な大部分の領域には（触媒暖気時にのみに行なわれる、吸気通路噴射用インジェクタ１２０を吸気行程噴射させ、筒内噴射用インジェクタ１１０を圧縮行程噴射させる弱成層燃焼領域以外を基本的な領域という）、筒内噴射用インジェクタ１１０による燃料噴射のタイミングは、吸気行程である。しかしながら、以下に示す理由があるので、燃焼安定化を目的として一時的に筒内噴射用インジェクタ１１０の燃料噴射タイミングを圧縮行程噴射とするようにしてもよい。
【００９０】
筒内噴射用インジェクタ１１０からの燃料噴射時期を圧縮行程中とすることで、筒内温度がより高い時期において、燃料噴射により混合気が冷却される。冷却効果が高まるので、対ノック性を改善することができる。さらに、筒内噴射用インジェクタ１１０からの燃料噴射時期を圧縮行程中とすると、燃料噴射から点火時期までの時間が短いことから噴霧による気流の強化を実現でき、燃焼速度を上昇させることができる。これらの対ノック性の向上と燃焼速度の上昇とから、燃焼変動を回避して、燃焼安定性を向上させることができる。
【００９１】
さらに、エンジン１０の温度によらず（すなわち、温間時および冷間時のいずれの場合であっても）、オフアイドル時（アイドルスイッチがオフの場合、アクセルペダルが踏まれている場合）には、図８または図１０に示す温間マップを用いるようにしてもよい。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本発明の実施の形態に係る制御装置で制御されるエンジンシステムの概略構成図である。
【図２】図１の部分拡大図である。
【図３】筒内噴射用インジェクタの断面図である。
【図４】筒内噴射用インジェクタの噴口の断面図である。
【図５】筒内噴射用インジェクタの噴霧形状を示す図である。
【図６】ピストン頂面のキャビティの側面視である。
【図７】ピストン頂面のキャビティの平面視である。
【図８】本発明の実施の形態に係る制御装置が適用されるに好適なエンジンの温間時のＤＩ比率マップを表わす図（その１）である。
【図９】本発明の実施の形態に係る制御装置が適用されるに好適なエンジンの冷間時のＤＩ比率マップを表わす図（その１）である。
【図１０】本発明の実施の形態に係る制御装置が適用されるに好適なエンジンの温間時のＤＩ比率マップを表わす図（その２）である。
【図１１】本発明の実施の形態に係る制御装置が適用されるに好適なエンジンの冷間時のＤＩ比率マップを表わす図（その２）である。
【符号の説明】
【００９４】
１０  エンジン、２０  インテークマニホールド、３０  サージタンク、４０  吸気ダクト、４２  エアフローメータ、５０  エアクリーナ、６０  電動モータ、７０  スロットルバルブ、８０  エキゾーストマニホールド、９０  三元触媒コンバータ、１００  アクセルペダル、１１０  筒内噴射用インジェクタ、１１２  気筒、１１９  点火プラグ、１２０  吸気通路噴射用インジェクタ、１２１  排気バルブ、１２２  吸気バルブ、１２３  ピストン、１２３Ａ  ピストンピン、１２３Ｂ  ピストン・ピン・ボス部、１２３Ｃ  キャビティ、１３０  燃料分配管、１４０  逆止弁、１５０  高圧燃料ポンプ、１５２  電磁スピル弁、１６０  燃料分配管（低圧側）、１７０  燃料圧レギュレータ、１８０  低圧燃料ポンプ、１９０  燃料フィルタ、２００  燃料タンク、３００  エンジンＥＣＵ、３１０  双方向性バス、３２０  ＲＯＭ、３３０  ＲＡＭ、３４０  ＣＰＵ、３５０  入力ポート、３６０  出力ポート、３７０，３９０，４１０，４３０，４５０  Ａ／Ｄ変換器、３８０  水温センサ、４００  燃料圧センサ、４２０  空燃比センサ、４４０  アクセル開度センサ、４６０  回転数センサ、５００Ａ，５００Ｂ  噴口。
【図１】
2006258012.tif 000003
【図２】
2006258012.tif 000004
【図３】
2006258012.tif 000005
【図４】
2006258012.tif 000006
【図５】
2006258012.tif 000007
【図６】
2006258012.tif 000008
【図７】
2006258012.tif 000009
【図８】
2006258012.tif 000010
【図９】
2006258012.tif 000011
【図１０】
2006258012.tif 000012
【図１１】
2006258012.tif 000013